(57)【特許請求の範囲】
【請求項１】
複数の雌端子と、該雌端子を個別に収容する雌端子収容室が複数形成された雌ハウジングと、を備える雌コネクタと、
コネクタ接合後に前記雌ハウジングの少なくとも一部分を収容する雌側収容室が形成された雄ハウジングと、該雌側収容室内で同一方向に突出させて配置された先端部分がコネクタ接合後に前記雌端子と個々に当接する雄端子と、を備える雄コネクタと、
を有し、
前記各雌端子収容室の内の少なくとも１つは、コネクタ接合方向に沿う互いに直交する第１及び第２の仮想基準面と他の前記雌端子収容室の雄端子挿入口とに対して傾斜させた雄端子挿入口を備え、
前記雌ハウジングは、コネクタ接合方向に対して平行で且つ前記第１及び第２の仮想基準面に対して傾斜させた傾斜面を備えた外周面を有し、該外周面における少なくとも前記雄端子挿入口側に、該外周面として前記第１仮想基準面に対して平行な雌側第１平面と、該雌側第１平面を含む雌側第１仮想平面に対して間隔を空けて平行に配置した雌側第２平面と、前記第２仮想基準面に対して平行な雌側第３平面と、該雌側第３平面を含む雌側第２仮想平面に対して間隔を空けて平行に配置した雌側第４平面と、を備え、
前記雄ハウジングは、前記雌側収容室の内周面に、前記雌側第１平面と前記雌側第２平面と前記雌側第３平面と前記雌側第４平面と前記傾斜面とに対してコネクタ接合後に各々対向する雄側第１平面と雄側第２平面と雄側第３平面と雄側第４平面と傾斜面とを備え、
前記雌側第１平面と前記雄側第１平面との間の隙間、前記雌側第２平面と前記雄側第２平面との間の隙間、前記雌側第３平面と前記雄側第３平面との間の隙間、及び、前記雌側第４平面と前記雄側第４平面との間の隙間は、コネクタ接合し得る範囲内で小さくすることを特徴としたコネクタ。
【請求項２】
前記雌側第１平面と前記雌側第２平面と前記雌側第３平面と前記雌側第４平面は、前記雌側第１仮想平面と前記雌側第２仮想平面と前記雌側第２平面を含む雌側第３仮想平面と前記雌側第４平面を含む雌側第４仮想平面とによって囲まれた矩形領域内に、前記各雌端子収容室が含まれるように配置することを特徴とした請求項１に記載のコネクタ。
【請求項３】
複数の雌端子と、該雌端子を個別に収容する雌端子収容室が複数形成された雌ハウジングと、を備える雌コネクタと、
コネクタ接合後に前記雌ハウジングの少なくとも一部分を収容する雌側収容室が形成された雄ハウジングと、該雌側収容室内で同一方向に突出させて配置された先端部分がコネクタ接合後に前記雌端子と個々に当接する雄端子と、を備える雄コネクタと、
を有し、
前記各雄端子の前記先端部分の内の少なくとも１つは、コネクタ接合方向に沿う互いに直交する第１及び第２の仮想基準面と他の前記雄端子の前記先端部分とに対して傾斜させ、
前記雄ハウジングの前記雌側収容室は、コネクタ接合方向に対して平行で且つ前記第１及び第２の仮想基準面に対して傾斜させた傾斜面を備えた内周面を有し、該内周面に、前記第１仮想基準面に対して平行な雄側第１平面と、該雄側第１平面を含む雄側第１仮想平面に対して間隔を空けて平行に配置した雄側第２平面と、前記第２仮想基準面に対して平行な雄側第３平面と、該雄側第３平面を含む雄側第２仮想平面に対して間隔を空けて平行に配置した雄側第４平面と、を備え、
前記雌ハウジングは、外周面における少なくとも前記雌端子収容室の雄端子挿入口側に、前記雄側第１平面と前記雄側第２平面と前記雄側第３平面と前記雄側第４平面と前記傾斜面とに対してコネクタ接合後に各々対向する雌側第１平面と雌側第２平面と雌側第３平面と雌側第４平面と傾斜面とを備え、
前記雄側第１平面と前記雌側第１平面との間の隙間、前記雄側第２平面と前記雌側第２平面との間の隙間、前記雄側第３平面と前記雌側第３平面との間の隙間、及び、前記雄側第４平面と前記雌側第４平面との間の隙間は、コネクタ接合し得る範囲内で小さくすることを特徴としたコネクタ。
【請求項４】
前記雄側第１平面と前記雄側第２平面と前記雄側第３平面と前記雄側第４平面は、前記雄側第１仮想平面と前記雄側第２仮想平面と前記雄側第２平面を含む雄側第３仮想平面と前記雄側第４平面を含む雄側第４仮想平面とによって囲まれた矩形領域内に、前記各雄端子が含まれるように配置することを特徴とした請求項３に記載のコネクタ。
【請求項５】
前記雌ハウジングは、前記外周面に、コネクタ接合方向へと延在する突出部を備え、
前記雄ハウジングは、前記雌側収容室の内周面に、コネクタ着脱時に前記突出部を案内する溝部を備えることを特徴とした請求項１から４の内の何れか１つに記載のコネクタ。
【請求項６】
前記突出部の壁面と当該壁面に対向する前記溝部の壁面との間の隙間は、コネクタ接合し得る範囲内で小さくすることを特徴とした請求項５に記載のコネクタ。
【発明の詳細な説明】
【技術分野】
【０００１】
本発明は、コネクタに関する。
【背景技術】
【０００２】
従来、コネクタには、雌コネクタと雄コネクタとを接合した際に、雌端子と雄端子との間における電気的な接続部が複数箇所形成されるものがある。例えば、下記の特許文献１には、並列に配置された３つの電気的な接続部を有するコネクタが開示されている。
【先行技術文献】
【特許文献】
【０００３】
【特許文献１】特開２０１３−８９４２１号公報
【発明の概要】
【発明が解決しようとする課題】
【０００４】
ところで、上記特許文献１のコネクタにおいて、雌コネクタの雌ハウジングは、直方体状の雌端子収容室を並列に３つ配置し、その３つの雌端子収容室の集合体までもが直方体状を成すように成形されている。このため、この雌ハウジングの主要部分は、その集合体の形状に合わせた直方体状の外形を有するものになっている。そして、雄ハウジングは、その雌ハウジングの収容室（雌側収容室）が当該雌ハウジングの外形に応じた直方体状に成形されている。このようなコネクタにおいては、雌ハウジングの外形を設計する際に、例えば、雌端子収容室の集合体における直交する或る２つの平面をそれぞれ基準面にし、この基準面を基点にして直方体状を成す雌ハウジングの外形の４つの平面（雌端子収容室の外壁面等）の位置を決めることができる。この場合、雄ハウジングについては、例えば、接合後における雌ハウジングの２つの基準面と略同等の位置に基準面を設定し、その基準面に対向している平面の位置を決めればよい。
【０００５】
これに対して、複数の雌端子収容室が互いに傾斜している場合、雌ハウジングにおいては、その雌端子収容室の外壁面同士も同様に傾斜させていると、そのそれぞれの外壁面に対向する上記のような共通の基準面が存在していない。そして、このような雌ハウジングの場合には、これを収容する雄ハウジングにおいても、そのような共通の基準面が存在していない。このため、この雌ハウジングや雄ハウジングでは、それぞれに上記の２つの基準面を任意に設定し、これらの基準面を基点にして雌ハウジングの外周面（雌端子収容室の外壁面等）の形状や雄ハウジングにおける雌側収容室の内周面の形状を決めることになる。その際、雌端子収容室の外壁面は、例えば、その２つの基準面から当該外壁面の２つの辺までの位置をそれぞれ規定することによって、その壁面形状が決められる。また、この雌ハウジングにおいては、その基準面に対する雌端子収容室の実際の又は仮想の傾斜面を規定し、この傾斜面を基点にして雌端子収容室の外壁面の位置を決めることができる。雌側収容室の内周面についても同様である。従って、この場合のコネクタにおいては、雌端子収容室の外壁面の位置や雌側収容室の内周面の位置を決めるに際して、従来のものと比べて、設計寸法を規定すべき箇所が増えるので、その分だけ公差の積み上げが多くなる。よって、このコネクタにおいては、雌ハウジングと雄ハウジングとの間の接合を可能にするべく、その間の隙間を従来のものよりも大きく取らなければならず、接合する際に雌ハウジングと雄ハウジングとの間にずれを生じさせてしまう可能性がある。
【０００６】
そこで、本発明は、コネクタ接合時の雌ハウジングと雄ハウジングとの間のずれを抑えることが可能なコネクタを提供することを、その目的とする。
【課題を解決するための手段】
【０００７】
上記目的を達成する為、本発明は、複数の雌端子、及び、該雌端子を個別に収容する雌端子収容室が複数形成された雌ハウジングを備える雌コネクタと、コネクタ接合後に前記雌ハウジングの少なくとも一部分を収容する雌側収容室が形成された雄ハウジング，及び、該雌側収容室内で同一方向に突出させて配置された先端部分がコネクタ接合後に前記雌端子と個々に当接する雄端子を備える雄コネクタと、を有する。そして、前記各雌端子収容室の内の少なくとも１つは、コネクタ接合方向に沿う互いに直交する第１及び第２の仮想基準面と他の前記雌端子収容室の雄端子挿入口とに対して傾斜させた雄端子挿入口を備え、前記雌ハウジングは、コネクタ接合方向に対して平行で且つ前記第１及び第２の仮想基準面に対して傾斜させた傾斜面を備えた外周面を有し、該外周面における少なくとも前記雄端子挿入口側に、該外周面として前記第１仮想基準面に対して平行な雌側第１平面と、該雌側第１平面を含む雌側第１仮想平面に対して間隔を空けて平行に配置した雌側第２平面と、前記第２仮想基準面に対して平行な雌側第３平面と、該雌側第３平面を含む雌側第２仮想平面に対して間隔を空けて平行に配置した雌側第４平面と、を備え、前記雄ハウジングは、前記雌側収容室の内周面に、前記雌側第１平面と前記雌側第２平面と前記雌側第３平面と前記雌側第４平面と前記傾斜面とに対してコネクタ接合後に各々対向する雄側第１平面と雄側第２平面と雄側第３平面と雄側第４平面と傾斜面とを備え、前記雌側第１平面と前記雄側第１平面との間の隙間、前記雌側第２平面と前記雄側第２平面との間の隙間、前記雌側第３平面と前記雄側第３平面との間の隙間、及び、前記雌側第４平面と前記雄側第４平面との間の隙間は、コネクタ接合し得る範囲内で小さくすることを特徴としている。
【０００８】
ここで、前記雌側第１平面と前記雌側第２平面と前記雌側第３平面と前記雌側第４平面は、前記雌側第１仮想平面と前記雌側第２仮想平面と前記雌側第２平面を含む雌側第３仮想平面と前記雌側第４平面を含む雌側第４仮想平面とによって囲まれた矩形領域内に、前記各雌端子収容室が含まれるように配置することが望ましい。
【０００９】
また、上記目的を達成する為、本発明は、複数の雌端子、及び、該雌端子を個別に収容する雌端子収容室が複数形成された雌ハウジングを備える雌コネクタと、コネクタ接合後に前記雌ハウジングの少なくとも一部分を収容する雌側収容室が形成された雄ハウジング，及び、該雌側収容室内で同一方向に突出させて配置された先端部分がコネクタ接合後に前記雌端子と個々に当接する雄端子を備える雄コネクタと、を有する。そして、前記各雄端子の前記先端部分の内の少なくとも１つは、コネクタ接合方向に沿う互いに直交する第１及び第２の仮想基準面と他の前記雄端子の前記先端部分とに対して傾斜させ、前記雄ハウジングの前記雌側収容室は、コネクタ接合方向に対して平行で且つ前記第１及び第２の仮想基準面に対して傾斜させた傾斜面を備えた内周面を有し、該内周面に、前記第１仮想基準面に対して平行な雄側第１平面と、該雄側第１平面を含む雄側第１仮想平面に対して間隔を空けて平行に配置した雄側第２平面と、前記第２仮想基準面に対して平行な雄側第３平面と、該雄側第３平面を含む雄側第２仮想平面に対して間隔を空けて平行に配置した雄側第４平面と、を備え、前記雌ハウジングは、外周面における少なくとも前記雌端子収容室の雄端子挿入口側に、前記雄側第１平面と前記雄側第２平面と前記雄側第３平面と前記雄側第４平面と前記傾斜面とに対してコネクタ接合後に各々対向する雌側第１平面と雌側第２平面と雌側第３平面と雌側第４平面と傾斜面とを備え、前記雄側第１平面と前記雌側第１平面との間の隙間、前記雄側第２平面と前記雌側第２平面との間の隙間、前記雄側第３平面と前記雌側第３平面との間の隙間、及び、前記雄側第４平面と前記雌側第４平面との間の隙間は、コネクタ接合し得る範囲内で小さくすることを特徴としている。
【００１０】
ここで、前記雄側第１平面と前記雄側第２平面と前記雄側第３平面と前記雄側第４平面は、前記雄側第１仮想平面と前記雄側第２仮想平面と前記雄側第２平面を含む雄側第３仮想平面と前記雄側第４平面を含む雄側第４仮想平面とによって囲まれた矩形領域内に、前記各雄端子が含まれるように配置することが望ましい。
【００１１】
前記雌ハウジングは、前記外周面に、コネクタ接合方向へと延在する突出部を備え、前記雄ハウジングは、前記雌側収容室の内周面に、コネクタ着脱時に前記突出部を案内する溝部を備えることが望ましい。
【００１２】
前記突出部の壁面と当該壁面に対向する前記溝部の壁面との間の隙間は、コネクタ接合し得る範囲内で小さくすることが望ましい。
【発明の効果】
【００１３】
雌ハウジングにおいては、その外周面に、第１仮想基準面と平行な上記の配置の雌側第１平面と雌側第２平面を設定し、かつ、第２仮想基準面と平行な上記の配置の雌側第３平面と雌側第４平面を設定する。このため、この雌ハウジングにおいては、その雌側第１平面と雌側第２平面と雌側第３平面と雌側第４平面のそれぞれの位置について、積み上げられる設計公差の数を少量に抑えることができ、設計寸法に対する設計公差の範囲内でのずれ量（設計寸法に対する最大ばらつき）を小量に抑えることができる。更に、雄ハウジングにおいては、雌側収容室の内周面に、第１仮想基準面と平行な上記の配置の雄側第１平面と雄側第２平面を設定し、かつ、第２仮想基準面と平行な上記の配置の雄側第３平面と雄側第４平面を設定する。このため、この雄ハウジングにおいては、その雄側第１平面と雄側第２平面と雄側第３平面と雄側第４平面のそれぞれの位置について、積み上げられる設計公差の数を少量に抑えることができ、設計寸法に対する設計公差の範囲内でのずれ量（設計寸法に対する最大ばらつき）を小量に抑えることができる。よって、本発明に係るコネクタは、雌ハウジングの外周面に傾斜面を有していたり、雌側収容室の内周面に傾斜面を有していたりしたとしても、コネクタ接合時における雌ハウジングと雄ハウジングとの間のずれを抑えることができる。
【図面の簡単な説明】
【００１４】
【図１】図１は、実施形態におけるコネクタの分解斜視図である。
【図２】図２は、実施形態におけるコネクタの平面図である。
【図３】図３は、雌ハウジングを雄端子挿入口側から見た平面図である。
【図４】図４は、雄ハウジングを雌ハウジングの挿入口側から見た平面図である。
【図５】図５は、雌ハウジングの外周面における各平面の位置関係について説明する図である。
【図６】図６は、雄ハウジングの雌側収容室の内周面における各平面の位置関係について説明する図である。
【発明を実施するための形態】
【００１５】
以下に、本発明に係るコネクタの実施形態を図面に基づいて詳細に説明する。尚、この実施形態によりこの発明が限定されるものではない。
【００１６】
［実施形態］
本発明に係るコネクタの実施形態の１つを図１から図６に基づいて説明する。
【００１７】
図１及び図２の符号１は、本実施形態のコネクタを示す。このコネクタ１は、電気的な雄雌間の接続部（つまり端子極数）を少なくとも２つ備えた電線対電線接続用のものである。このコネクタ１は、雌コネクタ２と雄コネクタ３とを備える。このコネクタ１においては、その雌コネクタ２と雄コネクタ３とを接合（以下、「コネクタ接合」という。）することによって、その相互間に電気的な雄雌間の接続部が形成される。
【００１８】
雌コネクタ２は、複数の雌端子１０と、この雌端子１０を内部に収容する雌ハウジング２０と、を有する。この雌コネクタ２においては、その雌端子１０に電線３０が連結される。尚、図２は、コネクタ１を後述する雌端子収容室２１の雌端子挿入口２１ｂ側から見た図であるが、図示の便宜上、電線３０を省略している。一方、雄コネクタ３は、複数の雄端子４０と、この雄端子４０を内部に収容する雄ハウジング５０と、を有する。この雄コネクタ３においては、その雄端子４０に電線（図示略）が連結される。
【００１９】
最初に、雌コネクタ２について説明する。
【００２０】
雌端子１０は、導電性の金属の板材を所定の雌型形状に成形した端子金具である。この雌端子１０は、雄端子４０が挿入される箱体１１を有する。その箱体１１は、少なくとも一端を開口させた角筒状に成形し、その開口を雄端子４０の挿入口として利用する。この箱体１１においては、その挿入口から自らの内部空間に雄端子４０が挿入され、この雄端子４０との電気的な接続が形成される。その箱体１１と雄端子４０との間の電気的な接続構造には、この技術分野における周知のものを利用すればよい。例えば、雌端子１０においては、その箱体１１内でのバネ力を利用して雄端子４０との電気的な接続状態を保持する。電線３０は、その箱体１１から見て、雄端子４０の挿入口とは反対側に配置し、雌端子１０との電気的な接続が確保されるよう当該雌端子１０に圧着する。
【００２１】
雌ハウジング２０は、合成樹脂等の絶縁性の高分子材料で成形される。この雌ハウジング２０においては、コネクタ接合方向における両端を開口させた空間であり、図２及び図３に示すように、雌端子１０を個別に収容する部屋（以下、「雌端子収容室」という。）２１が複数形成されている。その雌端子収容室２１においては、一端の開口がコネクタ接合時の雄端子４０の挿入口（以下、「雄端子挿入口」という。）２１ａとなる。その一端とは、雌コネクタ２から見たコネクタ接合時の接合方向における雌端子収容室２１の端部のことである。この雌ハウジング２０では、各雌端子収容室２１の延在方向（軸線方向）をコネクタ接合方向と一致させることによって、それぞれの雄端子挿入口２１ａを同一方向に向けて開口させる。この雌ハウジング２０では、それぞれの雄端子挿入口２１ａを略面一となるように配置する。
【００２２】
ここで、この雌端子収容室２１は、雌端子１０の箱体１１の形状に合わせて直方体状又は立方体状に形成されている。そして、雄端子挿入口２１ａは、その雌端子収容室２１の断面形状｛軸線方向（コネクタ接合方向）に対して直交している断面の形状｝における各辺と平行な４つの辺を有する矩形又は方形に形成されている。
【００２３】
雌端子１０は、箱体１１における雄端子４０の挿入口を先頭にして、雌端子収容室２１の他端の開口（雌端子挿入口２１ｂ）から当該雌端子収容室２１内の所定位置まで挿入する。その所定位置とは、箱体１１における雄端子４０の挿入口を雌端子収容室２１の雌端子挿入口２１ａまで近づけた位置のことである。挿入された雌端子１０は、その所定位置での保持状態が係止機構（図示略）によって維持される。その係止機構とは、例えば、雌端子収容室２１の内壁面に設けた弾性変形可能な突起部（ランス）と、箱体１１に設け、その突起部が所定位置で挿入される貫通孔（ランスホール）と、によって構成される。雄端子４０は、コネクタ接合時に、雌端子収容室２１の雌端子挿入口２１ａを介して箱体１１の挿入口に挿入され、その後、箱体１１の内部空間へと挿入される。
【００２４】
次に、雄コネクタ３について説明する。
【００２５】
雄コネクタ３の雄端子４０は、導電性の金属材料を成形した端子金具であり、その先端部分（いわゆるタブ）が所定の棒状又は板状に成形されている。この例示では、図２及び図４に示すように、先端部分を板状に成形している。この雄端子４０は、その先端部分が雄ハウジング５０に圧入される。その先端部分は、コネクタ接合に伴い雌端子１０の箱体１１内に挿入される。
【００２６】
その雄ハウジング５０は、合成樹脂等の絶縁性の高分子材料で成形される。この雄ハウジング５０には、コネクタ接合後に雌ハウジング２０の少なくとも一部分を収容する雌側収容室５１が形成されている。この例示では、雌ハウジング２０内のそれぞれの箱体１１が収まるように雌側収容室５１を形成する。雌側収容室５１は、その収容される雌ハウジング２０の一部分の外形に対応させた空間形状を有する。雄端子４０の先端部分は、この雌側収容室５１内で同一方向に突出させ、コネクタ接合後に雌端子１０と個々に当接させる。尚、その先端部分の突出方向は、コネクタ接合方向と一致している。
【００２７】
ところで、このコネクタ１の雌ハウジング２０において、各雌端子収容室２１の内の少なくとも１つは、コネクタ接合方向に沿う互いに直交する第１及び第２の仮想基準面Ｐ１，Ｐ２（図３）と他の雌端子収容室２１の雄端子挿入口２１ａとに対して傾斜させた雄端子挿入口２１ａを備える。その雄端子挿入口２１ａは、第１及び第２の仮想基準面Ｐ１，Ｐ２の双方と直交する平面上で傾ける。その傾斜させた雄端子挿入口２１ａを有する雌端子収容室２１についても、その断面形状（コネクタ接合方向に対して直交している断面の形状）は、この傾斜させた雄端子挿入口２１ａにおける各辺と平行な４つの辺を有している。そして、この傾斜している雌端子収容室２１に収容される雌端子１０は、この雌端子収容室２１及び雄端子挿入口２１ａの傾斜角θ１，θ２に合わせて傾けた状態で収容する。一方、その傾斜させた雄端子挿入口２１ａに挿入される雄端子４０の先端部分は、その傾斜角θ１，θ２に合わせて傾けた状態で雌側収容室５１内に配置する。つまり、各雄端子４０の先端部分の内の少なくとも１つは、第１及び第２の仮想基準面Ｐ１，Ｐ２と他の雄端子４０の先端部分とに対して傾斜させている。尚、その傾斜角θ１，θ２とは、第１及び第２の仮想基準面Ｐ１，Ｐ２に対する角度のことである。この例示では、第１仮想基準面Ｐ１に対する傾斜角θ１，θ２を図示している。
【００２８】
本実施形態のコネクタ１においては、雌ハウジング２０と雄ハウジング５０を次のような形状に成形することによって、コネクタ接合時の雌ハウジング２０と雄ハウジング５０との間のずれを抑制する。
【００２９】
先ず、雌ハウジング２０について説明する。
【００３０】
雌ハウジング２０には、図３に示すように、外周面における少なくとも雄端子挿入口２１ａ側に、第１仮想基準面Ｐ１に対して平行な雌側第１平面２２と、この雌側第１平面２２とは逆向きの平面であり、その雌側第１平面２２を含む雌側第１仮想平面Ｐｖｆ１に対して間隔を空けて平行に配置した雌側第２平面２３と、第２仮想基準面Ｐ２に対して平行な雌側第３平面２４と、この雌側第３平面２４とは逆向きの平面であり、その雌側第３平面２４を含む雌側第２仮想平面Ｐｖｆ２に対して間隔を空けて平行に配置した雌側第４平面２５と、を設ける。つまり、この雌ハウジング２０の外周面（当該外周面における少なくとも雄端子挿入口２１ａ側）には、第１仮想基準面Ｐ１を基点にして１つの設計寸法と設計公差の組み合わせで規定することのできる雌側第１平面２２及び雌側第２平面２３と、第２仮想基準面Ｐ２を基点にして１つの設計寸法と設計公差の組み合わせで規定することのできる雌側第３平面２４及び雌側第４平面２５と、を設ける。尚、この例示では、雌側第３平面２４を第２仮想基準面Ｐ２上に配置している。このため、雌側第２仮想平面Ｐｖｆ２は、第２仮想基準面Ｐ２と同じ平面を表している。
【００３１】
このように、この雌ハウジング２０は、雌側第１仮想平面Ｐｖｆ１と雌側第２平面２３を含む図５に示す雌側第３仮想平面Ｐｖｆ３との間の最短距離（以下、「雌側第１距離」という。）及び雌側第２仮想平面Ｐｖｆ２と雌側第４平面２５を含む図５に示す雌側第４仮想平面Ｐｖｆ４との間の最短距離（以下、「雌側第２距離」という。）について、それぞれに、積み上げられる設計公差の数を少量に抑えることができ、設計寸法に対する設計公差の範囲内でのずれ量（つまり設計寸法に対する最大ばらつき）を小量に抑えることができる。即ち、この雌ハウジング２０においては、外周面上における雌側第１平面２２と雌側第２平面２３と雌側第３平面２４と雌側第４平面２５のそれぞれの位置について、積み上げられる設計公差の数を少量に抑えることができ、設計寸法に対する設計公差の範囲内でのずれ量（設計寸法に対する最大ばらつき）を小量に抑えることができる。
【００３２】
次に、雄ハウジング５０について説明する。例えば、この雄ハウジング５０では、第１及び第２の仮想基準面Ｐ１，Ｐ２を雌ハウジング２０と略同等の位置に設定する。
【００３３】
雌側収容室５１の内周面には、図４に示すように、第１仮想基準面Ｐ１に対して平行な雄側第１平面５２と、この雄側第１平面５２とは逆向きの平面であり、その雄側第１平面５２を含む雄側第１仮想平面Ｐｖｍ１に対して間隔を空けて平行に配置した雄側第２平面５３と、第２仮想基準面Ｐ２に対して平行な雄側第３平面５４と、この雄側第３平面５４とは逆向きの平面であり、その雄側第３平面５４を含む雄側第２仮想平面Ｐｖｍ２に対して間隔を空けて平行に配置した雄側第４平面５５と、を設ける。つまり、この雌側収容室５１の内周面には、第１仮想基準面Ｐ１を基点にして１つの設計寸法と設計公差の組み合わせで規定することのできる雄側第１平面５２及び雄側第２平面５３と、第２仮想基準面Ｐ２を基点にして１つの設計寸法と設計公差の組み合わせで規定することのできる雄側第３平面５４及び雄側第４平面５５と、を設ける。尚、この例示では、雄側第３平面５４を第２仮想基準面Ｐ２上に配置している。このため、雄側第２仮想平面Ｐｖｍ２は、第２仮想基準面Ｐ２と同じ平面を表している。
【００３４】
この雄ハウジング５０は、雄側第１仮想平面Ｐｖｍ１と雄側第２平面５３を含む図６に示す雄側第３仮想平面Ｐｖｍ３との間の最短距離（以下、「雄側第１距離」という。）及び雄側第２仮想平面Ｐｖｍ２と雄側第４平面５５を含む図６に示す雄側第４仮想平面Ｐｖｍ４との間の最短距離（以下、「雄側第２距離」という。）について、それぞれに、積み上げられる設計公差の数を少量に抑えることができ、設計寸法に対する設計公差の範囲内でのずれ量（設計寸法に対する最大ばらつき）を小量に抑えることができる。即ち、この雄ハウジング５０においては、雌側収容室５１の内周面上における雄側第１平面５２と雄側第２平面５３と雄側第３平面５４と雄側第４平面５５のそれぞれの位置について、積み上げられる設計公差の数を少量に抑えることができ、設計寸法に対する設計公差の範囲内でのずれ量（設計寸法に対する最大ばらつき）を小量に抑えることができる。
【００３５】
この雄ハウジング５０は、例えば、雌側収容室５１の内周面から所定の肉厚を設けた位置を外周面とする。
【００３６】
ところで、この雄ハウジング５０においては、雄側第１平面５２と雄側第２平面５３の内の何れか一方を第１仮想基準面Ｐ１に設定してもよく、雄側第３平面５４と雄側第４平面５５の内の何れか一方を第２仮想基準面Ｐ２に設定してもよい。このような設定の場合には、雄側第１距離や雄側第２距離について、積み上げられる設計公差の数を最小限に抑えることができ、設計寸法に対する設計公差の範囲内でのずれ量（設計寸法に対する最大ばらつき）をより小さくすることができる。このため、この場合には、雌側収容室５１の内周面上における雄側第１平面５２と雄側第２平面５３と雄側第３平面５４と雄側第４平面５５のそれぞれの位置について、積み上げられる設計公差の数を最小限に抑えることができ、設計寸法に対する設計公差の範囲内でのずれ量（設計寸法に対する最大ばらつき）をより小さくすることができる。
【００３７】
このコネクタ１においては、雌側第１平面２２と雄側第１平面５２とを互いに対向させ、雌側第２平面２３と雄側第２平面５３とを互いに対向させ、雌側第３平面２４と雄側第３平面５４とを互いに対向させ、雌側第４平面２５と雄側第４平面５５とを互いに対向させる。
【００３８】
更に、このコネクタ１においては、雌側第１平面２２と雄側第１平面５２との間の隙間、雌側第２平面２３と雄側第２平面５３との間の隙間、雌側第３平面２４と雄側第３平面５４との間の隙間、及び、雌側第４平面２５と雄側第４平面５５との間の隙間を、その雌側第１平面２２等における設計公差による最大ばらつきを考慮して、それぞれにコネクタ接合し得る範囲内で小さくする。つまり、このコネクタ１においては、これらの隙間がそのような大きさとなるように、雌側第１平面２２と雌側第２平面２３と雌側第３平面２４と雌側第４平面２５と雄側第１平面５２と雄側第２平面５３と雄側第３平面５４と雄側第４平面５５とを配置する。
【００３９】
雌ハウジング２０においては、雌側第１平面２２と雌側第２平面２３とが互いに逆向きの壁面になっており、かつ、雌側第３平面２４と雌側第４平面２５とが互いに逆向きの壁面になっている。また、雄ハウジング５０においては、雄側第１平面５２と雄側第２平面５３とが互いに逆向きの壁面になっており、かつ、雄側第３平面５４と雄側第４平面５５とが互いに逆向きの壁面になっている。このため、このコネクタ１においては、雌側第１平面２２と雌側第２平面２３と雄側第１平面５２と雄側第２平面５３とによって、第１方向（第１仮想基準面Ｐ１に対する直交方向）に対する雌ハウジング２０と雄ハウジング５０との間のずれ量を小量に抑えることができる。更に、このコネクタ１においては、雌側第３平面２４と雌側第４平面２５と雄側第３平面５４と雄側第４平面５５とによって、第２方向（第２仮想基準面Ｐ２に対する直交方向）に対する雌ハウジング２０と雄ハウジング５０との間のずれ量を小量に抑えることができる。従って、このコネクタ１は、コネクタ接合時の接合作業性を確保しつつ、コネクタ接合時における雌ハウジング２０と雄ハウジング５０との間のずれを抑えることができる。
【００４０】
そのような雌側第１平面２２等の壁面が設けられていないと仮定した場合、このコネクタ１は、例えば、雌ハウジング２０と雄ハウジング５０との間のずれによって、コネクタ接合時に雌ハウジング２０が雄端子４０に対して無用な力を加えてしまったり、雌ハウジング２０と雄ハウジング５０とが正しい位置で接合されずに雌端子１０と雄端子４０との間で接触不良を引き起こしたりする可能性がある。しかしながら、本実施形態のコネクタ１は、雌ハウジング２０と雄ハウジング５０との間のずれ量が小さいので、そのような不都合の発生を抑制することができる。
【００４１】
ここで、雌ハウジング２０には、その外周面に、コネクタ接合方向に対して平行で且つ第１及び第２の仮想基準面Ｐ１，Ｐ２に対して傾斜させた傾斜面２６を設けている。その傾斜面２６とは、例えば、雌端子収容室２１の傾斜角θ１，θ２に応じて設定されたものである。例えば、この傾斜面２６は、雌端子収容室２１を成す壁部の外壁面である。このため、この傾斜面２６は、その傾斜角θ１，θ２と同等の傾斜角又は当該傾斜角θ１，θ２に対して９０度回転させた傾斜角を有する。また、雄ハウジング５０には、雌側収容室５１の内周面に、コネクタ接合方向に対して平行で且つ第１及び第２の仮想基準面Ｐ１，Ｐ２に対して傾斜させた傾斜面５６を設けている。その傾斜面５６とは、例えば、雄端子４０の傾斜角θ１，θ２に応じて設定されたものである。例えば、この傾斜面５６は、雌ハウジング２０の傾斜面２６に対向させた位置に配置する。このため、この傾斜面５６は、その傾斜角θ１，θ２と同等の傾斜角又は当該傾斜角θ１，θ２に対して９０度回転させた傾斜角を有する。本実施形態のコネクタ１は、このような傾斜面２６，５６が設けられていたとしても、コネクタ接合時の接合作業性を確保しつつ、雌ハウジング２０と雄ハウジング５０との間のずれ量を小さくすることができる。よって、このコネクタ１は、上記の如き不都合の発生を抑制することができる。
【００４２】
ところで、雌側第１平面２２等のそれぞれの配置や面積などにも依るが、雌ハウジング２０と雄ハウジング５０との間においては、雌側第１距離（雄側第１距離）と雌側第２距離（雄側第２距離）が短い場合、雌側第１距離（雄側第１距離）と雌側第２距離（雄側第２距離）が長い場合と比較して、ずれの抑制効果が低くなってしまうことがある。このため、このコネクタ１においては、その雌側第１距離（雄側第１距離）と雌側第２距離（雄側第２距離）が長くなるように構成することが望ましい。
【００４３】
例えば、雌ハウジング２０においては、図５に示すように、各雌端子収容室２１（各雄端子挿入口２１ａ）が矩形領域Ｓ１内に含まれるように、雌側第１平面２２と雌側第２平面２３と雌側第３平面２４と雌側第４平面２５とを配置する。その矩形領域Ｓ１とは、雌側第１仮想平面Ｐｖｆ１と雌側第２仮想平面Ｐｖｆ２と雌側第３仮想平面Ｐｖｆ３と雌側第４仮想平面Ｐｖｆ４とによって囲まれた矩形の領域のことである。更に、雄ハウジング５０においては、図６に示すように、各雄端子４０が矩形領域Ｓ２内に含まれるように、雄側第１平面５２と雄側第２平面５３と雄側第３平面５４と雄側第４平面５５とを配置する。その矩形領域Ｓ２とは、雄側第１仮想平面Ｐｖｍ１と雄側第２仮想平面Ｐｖｍ２と雄側第３仮想平面Ｐｖｍ３と雄側第４仮想平面Ｐｖｍ４とによって囲まれた矩形の領域のことである。これにより、このコネクタ１においては、雌側第１距離と雄側第１距離と雌側第２距離と雄側第２距離とを長めに設定することができるので、コネクタ接合時の接合作業性を確保しつつ、コネクタ接合時における雌ハウジング２０と雄ハウジング５０との間のずれをより抑えることができる。
【００４４】
このような矩形領域Ｓ１を仮想する場合、雌側第１平面２２と雌側第２平面２３は、雌ハウジング２０の外周面（当該外周面における少なくとも雄端子挿入口２１ａ側）における第１仮想基準面Ｐ１に対して平行な平面の内、互いに最も外側に配置することが望ましい。これと同様に、雌側第３平面２４と雌側第４平面２５は、雌ハウジング２０の外周面（当該外周面における少なくとも雄端子挿入口２１ａ側）における第２仮想基準面Ｐ２に対して平行な平面の内、互いに最も外側に配置することが望ましい。更に、矩形領域Ｓ２を仮想する場合、雄側第１平面５２と雄側第２平面５３は、雌側収容室５１の内周面における第１仮想基準面Ｐ１に対して平行な平面の内、互いに最も外側に配置することが望ましい。これと同様に、雄側第３平面５４及び雄側第４平面５５は、雌側収容室５１の内周面における第２仮想基準面Ｐ２に対して平行な平面の内、互いに最も外側に配置することが望ましい。これにより、このコネクタ１においては、コネクタ接合時の接合作業性を確保しつつ、コネクタ接合時における雌ハウジング２０と雄ハウジング５０との間のずれの更なる抑制が可能になる。
【００４５】
ここで、雌ハウジング２０の傾斜面２６は、前述したように対向する２つの辺の位置を第１及び第２の仮想基準面Ｐ１，Ｐ２からそれぞれに規定しなければならず、雌側第１平面２２等と比べて、積み上げられる設計公差の数が多くなるので、設計寸法に対するずれ量が大きくなる。雄ハウジング５０の傾斜面５６についても同様である。そこで、雌ハウジング２０においては、傾斜面２６を矩形領域Ｓ１内に配置して、雌ハウジング２０自体の体格の大型化を抑えることが望ましい。また、雄ハウジング５０においては、傾斜面５６を矩形領域Ｓ２内に配置し、その雌側収容室５１の内周面に基づき外周面を設定することによって、雄ハウジング５０自体の体格の大型化を抑えることが望ましい。このように構成することで、コネクタ１は、コネクタ接合時の接合作業性を確保しつつ、コネクタ接合時における雌ハウジング２０と雄ハウジング５０との間のずれを抑制できるだけでなく、体格の大型化を抑えることもできる。
【００４６】
その傾斜面２６の配置を採用する際、雌ハウジング２０においては、例えば、雌側第１仮想平面Ｐｖｆ１と雌端子収容室２１との間の肉厚、雌側第２仮想平面Ｐｖｆ２と雌端子収容室２１との間の肉厚、雌側第３仮想平面Ｐｖｆ３と雌端子収容室２１との間の肉厚、及び、雌側第４仮想平面Ｐｖｆ４と雌端子収容室２１との間の肉厚を、雌ハウジング２０の要求強度を確保し得る範囲内で薄くしてもよい。これにより、雌ハウジング２０は、体格の大型化をより抑制することができる。また、その傾斜面５６の配置を採用する際、雄ハウジング５０においては、例えば、雄側第１仮想平面Ｐｖｍ１と雄ハウジング５０の外周面との間の肉厚、雄側第２仮想平面Ｐｖｍ２と雄ハウジング５０の外周面との間の肉厚、雄側第３仮想平面Ｐｖｍ３と雄ハウジング５０の外周面との間の肉厚、及び、雄側第４仮想平面Ｐｖｍ４と雄ハウジング５０の外周面との間の肉厚を、雄ハウジング５０の要求強度を確保し得る範囲内で薄くしてもよい。これにより、雄ハウジング５０は、体格の大型化をより抑制することができる。従って、このコネクタ１においては、コネクタ接合時の接合作業性を犠牲にすることなく、体格の大型化をより抑えつつ、コネクタ接合時における雌ハウジング２０と雄ハウジング５０との間のずれをより抑えることができる。
【００４７】
このコネクタ１においては、雌ハウジング２０の外周面の形状に合わせて雄ハウジング５０における雌側収容室５１の内周面の形状を決める場合と、雌側収容室５１の内周面の形状に合わせて雌ハウジング２０の外周面の形状を決める場合と、がある。
【００４８】
前者の場合、雌側収容室５１の内周面の形状は、雌ハウジング２０の外周面における少なくとも雄端子挿入口２１ａ側の形状に基づいて設定する。この場合、雌側収容室５１の内周面には、雌側第１平面２２と雌側第２平面２３と雌側第３平面２４と雌側第４平面２５と傾斜面２６とに対してコネクタ接合後に各々対向する雄側第１平面５２と雄側第２平面５３と雄側第３平面５４と雄側第４平面５５と傾斜面５６とを設ける。つまり、この雌側収容室５１の内周面には、その形状の基になった雌ハウジング２０の外周面と同じように、第１仮想基準面Ｐ１を基点にして１つの設計寸法と設計公差の組み合わせで規定することのできる雄側第１平面５２及び雄側第２平面５３と、第２仮想基準面Ｐ２を基点にして１つの設計寸法と設計公差の組み合わせで規定することのできる雄側第３平面５４及び雄側第４平面５５と、を設けることになる。
【００４９】
この場合、コネクタ１においては、雄側第１距離を雌側第１距離に対してコネクタ接合し得る範囲内で小さくし、かつ、雄側第２距離を雌側第２距離に対してコネクタ接合し得る範囲内で小さくすることによって、雌側第１平面２２と雄側第１平面５２との間の隙間、雌側第２平面２３と雄側第２平面５３との間の隙間、雌側第３平面２４と雄側第３平面５４との間の隙間、及び、雌側第４平面２５と雄側第４平面５５との間の隙間を縮める。
【００５０】
後者（雌側収容室５１の内周面の形状に合わせて雌ハウジング２０の外周面の形状を決める場合）の場合、雌ハウジング２０には、外周面における少なくとも雄端子挿入口２１ａ側に、雄側第１平面５２と雄側第２平面５３と雄側第３平面５４と雄側第４平面５５と傾斜面５６とに対してコネクタ接合後に各々対向する雌側第１平面２２と雌側第２平面２３と雌側第３平面２４と雌側第４平面２５と傾斜面２６とを設ける。つまり、この雌ハウジング２０の外周面（当該外周面における少なくとも雄端子挿入口２１ａ側）には、その形状の基になった雌側収容室５１の内周面と同じように、第１仮想基準面Ｐ１を基点にして１つの設計寸法と設計公差の組み合わせで規定することのできる雌側第１平面２２及び雌側第２平面２３と、第２仮想基準面Ｐ２を基点にして１つの設計寸法と設計公差の組み合わせで規定することのできる雌側第３平面２４及び雌側第４平面２５と、を設けることになる。
【００５１】
この場合、コネクタ１においては、雌側第１距離を雄側第１距離に対してコネクタ接合し得る範囲内で大きくし、かつ、雌側第２距離を雄側第２距離に対してコネクタ接合し得る範囲内で大きくすることによって、雌側第１平面２２と雄側第１平面５２との間の隙間、雌側第２平面２３と雄側第２平面５３との間の隙間、雌側第３平面２４と雄側第３平面５４との間の隙間、及び、雌側第４平面２５と雄側第４平面５５との間の隙間を縮める。
【００５２】
以上示したように、このコネクタ１は、雌ハウジング２０の外周面や雄ハウジング５０の雌側収容室５１の内周面に傾斜面２６，５６が設けられていたとしても、コネクタ接合時の接合作業性を確保しつつ、コネクタ接合時における雌ハウジング２０と雄ハウジング５０との間のずれを抑制することができる。
【００５３】
具体的に、ここでは、端子極数（電気的な接続部）を２つ備えたコネクタ１について例示する。この例示の雌コネクタ２は、２つの雌端子１０（第１及び第２の雌端子１０Ａ，１０Ｂ）を備えており、そのそれぞれに対して個別に電線３０（３０Ａ，３０Ｂ）が電気的に接続されている。このため、この雌コネクタ２の雌ハウジング２０は、２つの雌端子収容室２１（第１及び第２の雌端子収容室２１Ａ，２１Ｂ）を有する。また、この例示の雄コネクタ３は、２つの雄端子４０（第１及び第２の雄端子４０Ａ，４０Ｂ）を備えており、そのそれぞれに対して個別に電線が電気的に接続されている。コネクタ接合後のコネクタ１においては、第１雌端子１０Ａと第１雄端子４０Ａとが電気的に接続され、第２雌端子１０Ｂと第２雄端子４０Ｂとが電気的に接続される。よって、このコネクタ１においては、第１雌端子１０Ａと第１雄端子４０Ａとの間の電気的な接続部（以下、「第１接続部」ともいう。）と、第２雌端子１０Ｂと第２雄端子４０Ｂとの間の電気的な接続部（以下、「第２接続部」ともいう。）と、が形成される。
【００５４】
雌ハウジング２０の外周面には、コネクタ接合方向に沿った雄端子挿入口２１ａと雌端子挿入口２１ｂとの間の全面に渡って、２つの雌側第１平面２２Ａ，２２Ｂ（２２）と、２つの雌側第２平面２３Ａ，２３Ｂ（２３）と、２つの雌側第３平面２４Ａ，２４Ｂ（２４）と、１つの雌側第４平面２５と、を設けている。雌側第１平面２２Ａと雌側第２平面２３Ａは、第１仮想基準面Ｐ１を中心にして互いに対向している。雌側第１平面２２Ｂと雌側第２平面２３Ｂは、第１仮想基準面Ｐ１を中心にして互いに対向している。
【００５５】
雄ハウジング５０の雌側収容室５１の内周面には、２つの雄側第１平面５２Ａ，５２Ｂ（５２）と、２つの雄側第２平面５３Ａ，５３Ｂ（５３）と、２つの雄側第３平面５４Ａ，５４Ｂ（５４）と、１つの雄側第４平面５５と、を設けている。雄側第１平面５２Ａと雄側第２平面５３Ａは、第１仮想基準面Ｐ１を中心にして互いに対向している。雄側第１平面５２Ｂと雄側第２平面５３Ｂは、第１仮想基準面Ｐ１を中心にして互いに対向している。
【００５６】
このコネクタ１においては、雌側第１平面２２Ａ，２２Ｂと雄側第１平面５２Ａ，５２Ｂとをそれぞれに対向させ、雌側第２平面２３Ａ，２３Ｂと雄側第２平面５３Ａ，５３Ｂとをそれぞれに対向させている。更に、このコネクタ１においては、雌側第３平面２４Ａ，２４Ｂと雄側第３平面５４Ａ，５４Ｂとをそれぞれに対向させ、雌側第４平面２５と雄側第４平面５５とをそれぞれに対向させている。このコネクタ１においては、これらの各平面の位置のばらつきを小さく抑えることができるので、コネクタ接合時の接合作業性を確保しながらも、これらの対向している平面間の隙間を小さくすることができる。このため、このコネクタ１は、その接合作業性を確保しつつ、コネクタ接合時における雌ハウジング２０と雄ハウジング５０との間のずれを小量に抑えることができる。
【００５７】
更に、この雌ハウジング２０の外周面には、コネクタ接合方向に沿った雄端子挿入口２１ａと雌端子挿入口２１ｂとの間の全面に渡って、矩形領域Ｓ１の内側に複数の傾斜面２６Ａ，２６Ｂ，２６Ｃ，２６Ｄ，２６Ｅ，２６Ｆ（２６）を設けている。また、この雌側収容室５１の内周面には、矩形領域Ｓ２の内側に複数の傾斜面５６Ａ，５６Ｂ，５６Ｃ，５６Ｄ，５６Ｅ，５６Ｆ（５６）も設けている。このコネクタ１においては、その傾斜面２６Ａ，２６Ｂ，２６Ｃ，２６Ｄ，２６Ｅ，２６Ｆと傾斜面５６Ａ，５６Ｂ，５６Ｃ，５６Ｄ，５６Ｅ，５６Ｆとがそれぞれに対向している。このコネクタ１においては、複数の傾斜面２６Ａ，２６Ｂ，２６Ｃ，２６Ｄ，２６Ｅ，２６Ｆを矩形領域Ｓ１の内側に設けると共に、複数の傾斜面５６Ａ，５６Ｂ，５６Ｃ，５６Ｄ，５６Ｅ，５６Ｆを矩形領域Ｓ２の内側に設けている。このため、このコネクタ１は、コネクタ接合時の接合作業性を確保し、かつ、体格の大型化を抑えつつも、コネクタ接合時における雌ハウジング２０と雄ハウジング５０との間のずれを抑えることができる。
【００５８】
雌ハウジング２０の外周面には、それらとは別に、コネクタ接合方向に沿った雄端子挿入口２１ａと雌端子挿入口２１ｂとの間の全面に渡って、第２仮想基準面Ｐ２に対して平行な複数の平面２７Ａ，２７Ｂ，２７Ｃも設けられている。これらの平面２７Ａ，２７Ｂ，２７Ｃは、矩形領域Ｓ１の内側に配置されたものである。更に、雌側収容室５１の内周面には、それらとは別に、第２仮想基準面Ｐ２に対して平行な複数の平面５７Ａ，５７Ｂ，５７Ｃも設けられている。これらの平面５７Ａ，５７Ｂ，５７Ｃは、矩形領域Ｓ２の内側に配置されたものである。平面２７Ａ，２７Ｂ，２７Ｃは、それぞれに平面５７Ａ，５７Ｂ，５７Ｃと対向している。
【００５９】
ここで、雌ハウジング２０の平面２７Ａは、雌側第４平面２５と対にすることで、雌側第３平面２４Ａ，２４Ｂと同等のものとして扱うことができる。つまり、この平面２７Ａは、雌側第３平面２４Ａ，２４Ｂと同等の設定が可能になる。また、雌ハウジング２０の平面２７Ｂ，２７Ｃは、雌側第３平面２４Ａ，２４Ｂと対にすることで、雌側第４平面２５と同等のものとして扱うことができる。つまり、この平面２７Ｂ，２７Ｃは、雌側第４平面２５と同等の設定が可能になる。更に、雄ハウジング５０の平面５７Ａは、雄側第４平面５５と対にすることで、雄側第３平面５４Ａ，５４Ｂと同等のものとして扱うことができる。つまり、この平面５７Ａは、雄側第３平面５４Ａ，５４Ｂと同等の設定が可能になる。また、雄ハウジング５０の平面５７Ｂ，５７Ｃは、雄側第３平面５４Ａ，５４Ｂと対にすることで、雄側第４平面５５と同等のものとして扱うことができる。つまり、この平面５７Ｂ，５７Ｃは、雄側第４平面５５と同等の設定が可能になる。このため、その平面２７Ａ，２７Ｂ，２７Ｃと平面５７Ａ，５７Ｂ，５７Ｃは、コネクタ接合時における雌ハウジング２０と雄ハウジング５０との間のずれを抑制するために利用することができる。但し、この平面２７Ａ，２７Ｂ，２７Ｃと平面５７Ａ，５７Ｂ，５７Ｃは、矩形領域Ｓ１，Ｓ２の設定に利用するものではない。
【００６０】
雌側第１平面２２Ａと雌側第３平面２４Ａは、それぞれに、第１仮想基準面Ｐ１との直交方向へと延出させた直方体状の延出部２８Ａを成す２つの平面によって構成する（図３）。その延出部２８Ａの別の平面としては、上記の平面２７Ｂが存在している。雌側第３平面２４Ａと平面２７Ｂは、第２仮想基準面Ｐ２との直交方向で対向している。また、雌側第２平面２３Ａと雌側第３平面２４Ｂは、それぞれに、第１仮想基準面Ｐ１との直交方向へと延出させた直方体状の延出部２８Ｂを成す２つの平面によって構成する。その延出部２８Ｂの別の平面としては、上記の平面２７Ｃが存在している。雌側第３平面２４Ｂと平面２７Ｃは、第２仮想基準面Ｐ２との直交方向で対向している。
【００６１】
この雌ハウジング２０においては、矩形領域Ｓ１を成す雌側第１平面２２Ａ，２２Ｂと雌側第２平面２３Ａ，２３Ｂと雌側第３平面２４Ａ，２４Ｂと雌側第４平面２５とによって、その外周面の最外形のばらつきを小量に抑え、体格の大型化を抑えることができる。また、この雄ハウジング５０においては、矩形領域Ｓ２を成す雄側第１平面５２Ａ，５２Ｂと雄側第２平面５３Ａ，５３Ｂと雄側第３平面５４Ａ，５４Ｂと雄側第４平面５５とによって、雌側収容室５１の内周面の形状のばらつきを小量に抑えることができる。このため、この雄ハウジング５０は、その体格の大型化を抑えることができる。
【００６２】
ところで、このコネクタ１においては、雌ハウジング２０の外周面に２つの突出部２９Ａ，２９Ｂを設けると共に、雌側収容室５１の内周面に各突出部２９Ａ，２９Ｂを覆う溝部５９Ａ，５９Ｂを設ける。その突出部２９Ａ，２９Ｂと溝部５９Ａ，５９Ｂは、雌ハウジング２０と雄ハウジング５０との間における着脱時（コネクタ着脱時）のこじりを防ぐためのものである。このため、突出部２９Ａ，２９Ｂは、コネクタ接合方向に沿った雄端子挿入口２１ａと雌端子挿入口２１ｂとの間の全面に渡って延在させている。そして、溝部５９Ａ，５９Ｂは、そのコネクタ着脱時に突出部２９Ａ，２９Ｂを案内するガイド部としての機能も有しており、コネクタ接合方向に延在させている。更に、その突出部２９Ａ，２９Ｂの壁面と当該壁面に対向する溝部５９Ａ，５９Ｂの壁面との間の隙間は、コネクタ接合し得る範囲内で小さくする。これにより、このコネクタ１においては、コネクタ着脱時のこじりを防ぐことができる。また、このコネクタ１においては、雌側第１平面２２Ａ，２２Ｂ等と相俟って、コネクタ着脱時のこじりの防止効果を高めることができる。
【００６３】
ここで、この突出部２９Ａ，２９Ｂと溝部５９Ａ，５９Ｂは、それぞれに、第１仮想基準面Ｐ１に対して平行な平面と第２仮想基準面Ｐ２に対して平行な平面とを有するものであってもよい。この場合には、突出部２９Ａ，２９Ｂにおけるその平面が矩形領域Ｓ１の境界を成し、かつ、溝部５９Ａ，５９Ｂにおけるその平面が矩形領域Ｓ２の境界を成す。このため、この場合には、このままでコネクタ１の体格の大型化が抑えられる。
【００６４】
しかしながら、この例示のコネクタ１においては、突出部２９Ａ，２９Ｂと溝部５９Ａ，５９Ｂが第１及び第２の仮想基準面Ｐ１，Ｐ２に対する傾斜面を有しているので、突出部２９Ａ，２９Ｂが矩形領域Ｓ１から突出し、かつ、溝部５９Ａ，５９Ｂが矩形領域Ｓ２から突出している。このため、その矩形領域Ｓ１，Ｓ２からの突出量を多くした場合には、コネクタ１の体格の大型化を招く虞がある。そこで、その突出部２９Ａ，２９Ｂは、その一部分を矩形領域Ｓ１から突出させることによって（この例示では雌側第４平面２５の近くで一部分を矩形領域Ｓ１から突出させることによって）、矩形領域Ｓ１からの突出量を抑える。また、溝部５９Ａ，５９Ｂは、その一部分を矩形領域Ｓ２から突出させることによって（この例示では雄側第４平面５５の近くで一部分を矩形領域Ｓ２から突出させることによって）、矩形領域Ｓ２からの突出量を抑える。このようにして、このコネクタ１においては、こじり防止機能を確保しつつ、体格の大型化を抑制することができる。
【００６５】
ここで、この例示のコネクタ１では、２箇所にこじり防止構造を設けている（突出部２９Ａ及び溝部５９Ａの組み合わせによるものと突出部２９Ｂ及び溝部５９Ｂの組み合わせによるもの）。しかしながら、そのこじり防止構造は、その機能を確保できるのであれば、少なくとも１箇所以上配置しておけばよい。
【００６６】
以上示したように、このコネクタ１の具体例においては、全ての雌端子収容室２１及びその雄端子挿入口２１ａを第１及び第２の仮想基準面Ｐ１，Ｐ２に対して傾斜させている。しかしながら、このコネクタ１は、例えば、或る雌端子収容室２１における直交する２つの壁面に対して第１及び第２の仮想基準面Ｐ１，Ｐ２を各々平行に設定し、残りの雌端子収容室２１を第１及び第２の仮想基準面Ｐ１，Ｐ２に対して傾斜させてもよい。この場合でも、雌ハウジング２０には、上述した配置の雌側第１平面２２と雌側第２平面２３と雌側第３平面２４と雌側第４平面２５を設け、雄ハウジング５０には、上述した配置の雄側第１平面５２と雄側第２平面５３と雄側第３平面５４と雄側第４平面５５を設ける。これにより、このようなコネクタ１であっても、上記の例示と同様の効果を得ることができる。
【符号の説明】
【００６７】
１  コネクタ
２  雌コネクタ
３  雄コネクタ
１０  雌端子
１０Ａ  第１雌端子
１０Ｂ  第２雌端子
２０  雌ハウジング
２１  雌端子収容室
２１Ａ  第１雌端子収容室
２１Ｂ  第２雌端子収容室
２１ａ  雄端子挿入口
２２，２２Ａ，２２Ｂ  雌側第１平面
２３，２３Ａ，２３Ｂ  雌側第２平面
２４，２４Ａ，２４Ｂ  雌側第３平面
２５  雌側第４平面
２６，２６Ａ，２６Ｂ，２６Ｃ，２６Ｄ，２６Ｅ，２６Ｆ  傾斜面
２９Ａ，２９Ｂ  突出部
４０  雄端子
４０Ａ  第１雄端子
４０Ｂ  第２雄端子
５０  雄ハウジング
５１  雌側収容室
５２，５２Ａ，５２Ｂ  雄側第１平面
５３，５３Ａ，５３Ｂ  雄側第２平面
５４，５４Ａ，５４Ｂ  雄側第３平面
５５  雄側第４平面
５６，５６Ａ，５６Ｂ，５６Ｃ，５６Ｄ，５６Ｅ，５６Ｆ  傾斜面
５９Ａ，５９Ｂ  溝部
Ｓ１，Ｓ２  矩形領域
Ｐｖｆ１  雌側第１仮想平面
Ｐｖｆ２  雌側第２仮想平面
Ｐｖｆ３  雌側第３仮想平面
Ｐｖｆ４  雌側第４仮想平面
Ｐｖｍ１  雄側第１仮想平面
Ｐｖｍ２  雄側第２仮想平面
Ｐｖｍ３  雄側第３仮想平面
Ｐｖｍ４  雄側第４仮想平面
Ｐ１  第１仮想基準面
Ｐ２  第２仮想基準面
【図１】
0006045543.tif 000002
【図２】
0006045543.tif 000003
【図３】
0006045543.tif 000004
【図４】
0006045543.tif 000005
【図５】
0006045543.tif 000006
【図６】
0006045543.tif 000007